(57)【特許請求の範囲】
【請求項１】
互いに直交するＸ軸、Ｙ軸、Ｚ軸方向に移動させた測定子を、回転テーブルに取り付けられた被測定物の表面に接触させて、この接触時における前記測定子の位置を検出することにより、前記被測定物の形状を測定する測定器の校正方法において、
円筒状の校正用治具を前記回転テーブル上における任意の位置に載置して、この任意の位置に載置した前記校正用治具の中心位置を基準位置とし、
前記回転テーブルを一方向及び他方向に回転させることにより、前記基準位置に配置された前記校正用治具を、一方向及び他方向に同じ旋回角度で旋回させて、Ｚ軸周りにおける前記回転テーブルの回転軸と直交するＸ軸を中心として、当該Ｘ軸のＹ軸マイナス側及びＹ軸プラス側に位置決めし、
Ｘ軸のＹ軸マイナス側及びＹ軸プラス側に位置決めした前記校正用治具の外周面に対して、前記測定子をそれぞれ異なった位置で複数回接触させ、
前記測定子がＸ軸のＹ軸マイナス側に位置決めした前記校正用治具に接触したときに検出された当該測定子の中心位置、前記測定子の径、及び、前記校正用治具の径を用いて、Ｘ軸のＹ軸マイナス側に位置決めした前記校正用治具の中心位置を求め、
前記測定子がＸ軸のＹ軸プラス側に位置決めした前記校正用治具に接触したときに検出された当該測定子の中心位置、前記測定子の径、及び、前記校正用治具の径を用いて、Ｘ軸のＹ軸プラス側に位置決めした前記校正用治具の中心位置を求め、
Ｘ軸のＹ軸マイナス側及びＹ軸プラス側に位置決めした前記校正用治具の中心位置におけるＸ座標の平均値と、Ｘ軸のＹ軸マイナス側及びＹ軸プラス側に位置決めした前記校正用治具の中心位置におけるＹ座標の差分値とを、前記測定子の位置誤差とし、
前記位置誤差に応じて、前記測定子の位置を校正する
ことを特徴とする測定器の校正方法。
【請求項２】
請求項１に記載の測定器の校正方法において、
前記校正用治具を、複数の異なった旋回角度で一方向及び他方向に旋回させ、
その複数の異なった前記旋回角度ごとに、前記測定子の位置誤差を求め、
前記旋回角度ごとに求めた前記位置誤差に応じて、前記測定子の位置を校正する
ことを特徴とする測定器の校正方法。
【発明の詳細な説明】
【技術分野】
【０００１】
本発明は、測定子を被測定物の表面に接触させて、当該被測定物の形状を測定する測定器の校正方法に関する。
【背景技術】
【０００２】
従来、歯車研削盤によって研削された歯車の加工精度は、その歯車研削盤とは別に設けた歯車測定機を使用して測定されていた。しかしながら、このように、歯車研削盤と歯車測定機とを別々に設けると、これらの間の歯車の移動や、それぞれの機械での歯車の着脱及び心出し等の段取りが必要となるため、作業性の低下を招いていた。
【０００３】
そこで、近年、上述した作業性の向上を図ることを目的として、加工後の歯車を加工時の取付位置に取り付けたままの状態で、その加工精度を測定可能とした歯車研削盤が提供されている。そして、このような、歯車測定機能を有する歯車研削盤では、回転テーブルによる歯車の回転と、測定器による測定子の移動とを制御することにより、測定子を歯車の歯面に接触させて、当該歯車の歯形や歯厚を測定するようにしている。
【０００４】
また、上述したような、歯車研削盤では、歯車を高精度に測定するために、必要に応じて、回転テーブルや測定器等の駆動部を校正することが一般的となっており、例えば、特許文献１には、被測定物を取り付けるための回転テーブルの校正方法が開示されている。
【先行技術文献】
【特許文献】
【０００５】
【特許文献１】特開平６−２４９６４１号公報
【発明の概要】
【発明が解決しようとする課題】
【０００６】
同様に、歯車測定機能を有する歯車研削盤では、歯車を高精度に測定するために、測定器を校正することも重要な要素となっている。一般的に、歯車研削盤においては、その直交３軸座標系の原点が、回転テーブルの中心となっているため、測定器の校正は、その測定子を回転テーブルの中心まで移動させ、測定子の中心と回転テーブルの中心とを一致させる必要がある。
【０００７】
一方、大きな歯車を研削する大形歯車研削盤においては、加工対象物となる歯車が大きくなる分、これを取り付けるための回転テーブルも、大きなものとなっている。しかしながら、このような大形歯車研削盤に、上述した歯車測定機能を採用しようとすると、測定器と機械との間の干渉等の問題によって、測定器の移動範囲（測定範囲）に制限が生じるため、測定子の中心が回転テーブルの中心に届かない場合がある。
【０００８】
また、このような問題を解決するため、測定器の移動範囲を拡大することも考えられるが、このような構成を採用すると、大形歯車研削盤の更なる大型化を招いてしまう。これにより、特に、歯車測定機能を有する大形歯車研削盤においては、測定器の校正が困難となっている。
【０００９】
従って、本発明は上記課題を解決するものであって、被測定物の大きさに関わらず、測定子の位置を、容易に、且つ、高精度に校正することができる測定器の校正方法を提供することを目的とする。
【課題を解決するための手段】
【００１０】
上記課題を解決する第１の発明に係る測定器の校正方法は、
互いに直交するＸ軸、Ｙ軸、Ｚ軸方向に移動させた測定子を、回転テーブルに取り付けられた被測定物の表面に接触させて、この接触時における前記測定子の位置を検出することにより、前記被測定物の形状を測定する測定器の校正方法において、
円筒状の校正用治具を前記回転テーブル上における任意の位置に載置して、この任意の位置に載置した前記校正用治具の中心位置を基準位置とし、
前記回転テーブルを一方向及び他方向に回転させることにより、前記基準位置に配置された前記校正用治具を、一方向及び他方向に同じ旋回角度で旋回させて、Ｚ軸周りにおける前記回転テーブルの回転軸と直交するＸ軸を中心として、当該Ｘ軸のＹ軸マイナス側及びＹ軸プラス側に位置決めし、
Ｘ軸のＹ軸マイナス側及びＹ軸プラス側に位置決めした前記校正用治具の外周面に対して、前記測定子をそれぞれ異なった位置で複数回接触させ、
前記測定子がＸ軸のＹ軸マイナス側に位置決めした前記校正用治具に接触したときに検出された当該測定子の中心位置、前記測定子の径、及び、前記校正用治具の径を用いて、Ｘ軸のＹ軸マイナス側に位置決めした前記校正用治具の中心位置を求め、
前記測定子がＸ軸のＹ軸プラス側に位置決めした前記校正用治具に接触したときに検出された当該測定子の中心位置、前記測定子の径、及び、前記校正用治具の径を用いて、Ｘ軸のＹ軸プラス側に位置決めした前記校正用治具の中心位置を求め、
Ｘ軸のＹ軸マイナス側及びＹ軸プラス側に位置決めした前記校正用治具の中心位置におけるＸ座標の平均値と、Ｘ軸のＹ軸マイナス側及びＹ軸プラス側に位置決めした前記校正用治具の中心位置におけるＹ座標の差分値とを、前記測定子の位置誤差とし、
前記位置誤差に応じて、前記測定子の位置を校正する
ことを特徴とする。
【００１１】
上記課題を解決する第２の発明に係る測定器の校正方法は、
前記校正用治具を、複数の異なった旋回角度で一方向及び他方向に旋回させ、
その複数の異なった前記旋回角度ごとに、前記測定子の位置誤差を求め、
前記旋回角度ごとに求めた前記位置誤差に応じて、前記測定子の位置を校正する
ことを特徴とする。
【発明の効果】
【００１２】
従って、本発明に係る測定器の校正方法によれば、回転テーブル上における任意の位置に載置した校正用治具を、両方向に同じ旋回角度で旋回させて位置決めし、この位置決めした校正用治具に対して、測定子を接触させて、当該測定子の位置誤差を求めることにより、被測定物の大きさに関わらず、測定子の位置を、容易に、且つ、高精度に校正することができる。
【図面の簡単な説明】
【００１３】
【図１】歯車測定機能を有する大形歯車研削盤において、ワークの歯面を測定器により測定する様子を示した図である。
【図２】本発明の一実施例に係る測定器の校正方法を示した概略図である。
【図３】本発明の他の実施例に係る測定器の校正方法を示した図である。
【発明を実施するための形態】
【００１４】
以下、本発明に係る測定器の校正方法について、図面を用いて詳細に説明する。
【実施例】
【００１５】
図１及び図２に示すように、大形の歯車研削盤（図示省略）には、円形の回転テーブル１１がテーブル回転軸Ｃ周りに回転可能に支持されている。そして、回転テーブル１１の上面には、歯車であるワーク（被加工歯車、被測定物、被測定歯車）Ｗ、及び、後述する、円筒状の校正用治具としての基準円筒３０が取付可能となっている。なお、基準円筒３０の半径は、長さＲに形成されている。
【００１６】
ここで、歯車研削盤における座標系は、互いに直交する３つの座標軸（Ｘ軸（基準軸）、Ｙ軸、Ｚ軸）からなる直交３軸座標系となっており、この直交３軸座標系の原点は、回転テーブル１１の中心（テーブル回転軸Ｃ上）に設定されている。即ち、テーブル回転軸Ｃは、Ｚ軸周りの回転軸を示すものとなっている。
【００１７】
更に、歯車研削盤は、その機上において、加工後のワークＷを加工時の取付位置に取り付けたままの状態で、その加工精度を測定可能とする歯車測定機能（歯車測定装置）を有するものであって、歯車測定用（座標測定用）の測定器２１を備えている。
【００１８】
つまり、歯車研削盤には、測定器２１がＸ軸、Ｙ軸、Ｚ軸方向に移動可能に支持されている。また、測定器２１の先端には、球状の測定子２２が設けられており、この測定子２２は、回転テーブル１１上に取り付けられたワークＷの歯面Ｗａ、及び、回転テーブル１１上に取り付けられた基準円筒３０の外周面に接触可能となっている。そして、測定器２１においては、測定子２２がワークＷの歯面Ｗａ及び基準円筒３０の外周面に対して、所定の接触圧で接触すると、その測定子２２の中心位置（中心座標）が検出されるようになっている。なお、測定子２２の半径は、長さｒに形成されている。
【００１９】
従って、ワークＷの形状（歯形、歯すじ、ピッチ、歯厚等）を測定器２１により測定する場合には、ワークＷが取り付けられた回転テーブル１１をテーブル回転軸Ｃ周りに回転させると共に、測定器２１をＸ軸、Ｙ軸、Ｚ軸方向に移動させ、回転するワークＷの歯面Ｗａや、所定の回転角度（割り出し角度）に位置決めされたワークＷの歯面Ｗａに対して、測定子２２を接触させる。そして、このように、測定子２２をワークＷの歯面Ｗａに接触させると、その測定子２２の中心位置が検出され、この検出結果に基づいて、ワークＷの形状が測定される。
【００２０】
また、測定器２１を基準円筒３０を用いて校正する場合には、基準円筒３０が取り付けられた回転テーブル１１をテーブル回転軸Ｃ周りに回転させると共に、測定器２１をＸ軸、Ｙ軸、Ｚ軸方向に移動させ、テーブル回転軸Ｃ周りに旋回して位置決めされた基準円筒３０の外周面に対して、測定子２２を接触させる。そして、このように、測定子２２を基準円筒３０の外周面に接触させると、その測定子２２の中心位置が検出され、この検出結果に基づいて、測定子２２の位置が校正される。
【００２１】
即ち、歯車研削盤では、加工前において、ワークＷを回転テーブル１１に取り付けていない状態で、予め、測定器２１を基準円筒３０を用いて校正しておき、加工後において、ワークＷを加工時の取付位置に取り付けたままの状態で、その加工精度を、校正した測定器２１により測定するようになっている。
【００２２】
次に、測定器２１の校正方法について、図２及び図３を用いて詳細に説明する。
【００２３】
図２に示すように、先ず、測定器２１を移動させ、その測定子２２の中心をＸ軸上に配置する。次いで、測定器２１の校正用治具となる基準円筒３０を、回転テーブル１１上におけるＸ軸近傍の任意の位置に載置する。
【００２４】
ここで、測定子２２の中心及び基準円筒３０の中心を、基準軸となるＸ軸上に配置することが好ましい。このように測定子２２及び基準円筒３０を配置することにより、測定子２２の移動と基準円筒３０の旋回とによる校正動作を、簡素で、且つ、容易に行うことができる。
【００２５】
しかしながら、測定器２１はＸ軸、Ｙ軸、Ｚ軸方向に移動可能に支持されているため、その測定子２２の中心をＸ軸上に配置することは容易となる一方、基準円筒３０は作業者の目視によって回転テーブル１１上に載置されるため、その基準円筒３０の中心をＸ軸上に配置することは困難となる。
【００２６】
これにより、実際には、回転テーブル１１上に載置された基準円筒３０は、ＸＹ平面内において、その中心と回転テーブル１１のテーブル回転軸Ｃとの間の軸間距離が長さＬで、且つ、Ｘ軸に対する位相ずれがΔθとなるように配置されることになる。
【００２７】
そこで、このように載置された基準円筒３０の中心位置Ｏｃを基準位置（旋回開始位置）とし、この基準位置に配置された基準円筒３０を、左右両方向（一方向及び他方向）に同じ旋回角度φで旋回させて、Ｘ軸を中心とした左側（一方側）及び右側（他方側）のそれぞれに位置決めする。
【００２８】
具体的には、回転テーブル１１を所定の回転角度φで左回転させることにより、基準位置に配置された基準円筒３０を、旋回角度φで左方向に旋回させて、Ｘ軸よりも左側（Ｙ軸のマイナス側）に位置決めする。
【００２９】
次いで、Ｘ軸上に配置した測定器２１を移動させ、その測定子２２を、Ｘ軸の左側に位置決めした基準円筒３０の外周面に対して、それぞれ異なった位置で３回以上接触させる。このように、測定子２２を基準円筒３０に接触させると、各接触時における測定子２２の中心位置ＯｍL-1，ＯｍL-2，ＯｍL-3…が検出される。
【００３０】
なお、図２においては、基準円筒３０に対して、測定子２２を異なった３箇所で接触させる様子を示しているが、以下、上記各接触時における測定子２２の中心位置ＯｍL-1，ＯｍL-2，ＯｍL-3…については、中心位置ＯｍL-1，ＯｍL-2，ＯｍL-3のみを代表して記載する。
【００３１】
そして、基準円筒３０の半径Ｒ、測定子２２の半径ｒ、及び、測定子２２の中心位置ＯｍL-1，ＯｍL-2，ＯｍL-3を用いて、Ｘ軸の左側に位置決めした基準円筒３０の中心位置ＯｃLを求める。
【００３２】
同様に、回転テーブル１１を所定の回転角度φで右回転させることにより、基準位置に配置された基準円筒３０を、旋回角度φで右方向に旋回させて、Ｘ軸よりも右側（Ｙ軸のプラス側）に位置決めする。
【００３３】
次いで、Ｘ軸上に配置した測定器２１を移動させ、その測定子２２を、Ｘ軸の右側に位置決めした基準円筒３０の外周面に対して、それぞれ異なった位置で３回以上接触させる。このように、測定子２２を基準円筒３０に接触させると、各接触時における測定子２２の中心位置ＯｍR-1，ＯｍR-2，ＯｍR-3…が検出される。
【００３４】
なお、図２においては、基準円筒３０に対して、測定子２２を異なった３箇所で接触させる様子を示しているが、以下、上記各接触時における測定子２２の中心位置ＯｍR-1，ＯｍR-2，ＯｍR-3…については、中心位置ＯｍR-1，ＯｍR-2，ＯｍR-3のみを代表して記載する。
【００３５】
そして、基準円筒３０の半径Ｒ、測定子２２の半径ｒ、及び、測定子２２の中心位置ＯｍR-1，ＯｍR-2，ＯｍR-3を用いて、Ｘ軸の右側に位置決めした基準円筒３０の中心位置ＯｃRを求める。
【００３６】
次いで、基準円筒３０の中心位置ＯｃL，ＯｃRを用いて、測定子２２におけるＸ軸方向の位置誤差ΔＸ及びＹ軸方向の位置誤差ΔＹを求める。即ち、中心位置ＯｃL，ＯｃRにおけるＸ座標の平均値が位置誤差ΔＸとなり、中心位置ＯｃL，ＯｃRにおけるＹ座標の差分値が位置誤差ΔＹとなる。
【００３７】
そして、位置誤差ΔＸ，ΔＹは、ＸＹ平面内における測定子２２の校正値となるため、位置誤差ΔＸ，ΔＹに応じて、測定子２２の位置を校正することにより、ワークＷの形状を測定子２２によって高精度に測定することができる。
【００３８】
また、上述したように、校正値となる位置誤差ΔＸ，ΔＹは、基準円筒３０を旋回させることにより求められるものであるため、基準円筒３０の旋回精度、即ち、回転テーブル１１の回転精度（位置決め精度）が、そのまま、測定器２１の校正精度に影響を与えることになる。つまり、回転テーブル１１の回転精度を向上させることにより、位置誤差ΔＸ，ΔＹの演算精度を向上させることができるが、回転テーブル１１の回転精度を向上させるにも限界がある。
【００３９】
そこで、旋回角度φを段階的に変更しながら、その複数の異なった旋回角度φごとに位置誤差ΔＸ，ΔＹを求めた後、それらを平均化しても構わない。
【００４０】
例えば、図３に示すように、先ず、基準円筒３０を、３つの異なった旋回角度φ１，φ２，φ３で旋回させて位置決めした後、これら旋回角度φ１，φ２，φ３における中心位置ＯｃL1，ＯｃR1、中心位置ＯｃL2，ＯｃR2、中心位置ＯｃL3，ＯｃR3を求める。
【００４１】
次いで、中心位置ＯｃL1，ＯｃR1を用いて位置誤差ΔＸ１，ΔＹ１を求め、また、中心位置ＯｃL2，ＯｃR2を用いて位置誤差ΔＸ２，ΔＹ２を求め、更に、中心位置ＯｃL3，ＯｃR3を用いて位置誤差ΔＸ３，ΔＹ３を求める。
【００４２】
そして、位置誤差ΔＸ１，ΔＸ２，ΔＸ３及び位置誤差ΔＹ１，ΔＹ２，ΔＹ３を、それぞれ平均化して、最終的な位置誤差ΔＸ，ΔＹを求める。
【００４３】
これにより、回転テーブル１１の回転においては、回転角度φが変わると、その回転角度φ内で、回転角度誤差が発生し、更に、この回転角度誤差にもばらつきが生じるため、複数の異なった回転角度（旋回角度）φ１，φ２，φ３を設定することにより、当該各回転角度φ１，φ２，φ３内の回転角度誤差を容易に抽出することができる。そして、位置誤差ΔＸ１，ΔＸ２，ΔＸ３及び位置誤差ΔＹ１，ΔＹ２，ΔＹ３を、それぞれ平均化することにより、上記各回転角度誤差も平均化されるため、最終的な位置誤差ΔＸ，ΔＹに対して、各回転角度誤差の影響を極力小さくすることができる。この結果、位置誤差ΔＸ，ΔＹの演算精度、即ち、測定器２１の校正精度を更に向上させることができる。
【００４４】
従って、本発明に係る測定器２１の校正方法によれば、回転テーブル１１上における任意の位置に載置した基準円筒３０を、左右両方向に同じ旋回角度φで旋回させて、Ｘ軸の左右両側で位置決めし、この２つの位置で位置決めした基準円筒３０に対して、測定子２２を接触させて、測定子２２の位置誤差ΔＸ，ΔＹを求めることにより、回転テーブル１１及びこの回転テーブル１１に取り付けられるワークＷの大きさに関わらず、測定子２２の位置を、容易に、且つ、高精度に校正することができる。
【００４５】
また、基準円筒３０を、複数の異なった旋回角度φ１，φ２，φ３で段階的に旋回させることにより、測定子２２の位置誤差ΔＸ，ΔＹに対して、回転テーブル１１の回転角度誤差の影響を十分に小さくすることができる。これにより、測定子２２の位置を更に高精度に校正することができる。
【産業上の利用可能性】
【００４６】
本発明は、測定子を、回転テーブルによって回転する被測定物に接触させながら、その被測定物の三次元形状を測定する三次元測定機の校正方法に適用可能である。
【符号の説明】
【００４７】
１１      回転テーブル
２１      測定器
２２      測定子
３０      基準円筒
Ｗ      ワーク
Ｃ      テーブル回転軸
ｒ      測定子の半径
Ｒ      基準円筒の半径
φ      旋回角度
Ｏｃ，ＯｃL，ＯｃR      基準円筒の中心位置
ＯｍL，ＯｍR      測定子の中心位置
ΔＸ，ΔＹ      位置誤差
【図１】
0005984418.tif 000002
【図２】
0005984418.tif 000003
【図３】
0005984418.tif 000004